(57)【要約】【課題】種々のサイズの山形鋼から成る主柱材に取付けられる極めて簡単な構造で、作業の手間のかからない、一体ものの工具を提供する。【解決手段】既存のターンバックル１の両端に設けられた、当該ターンバックル１の軸を中心に回転自在なコ字型の各把持具２に、当該各把持具２の開口部側から両側板の外面に、略コ字型の連結片５の両側板５ａを重ねて夫々一体に固定し、これらの各連結片５のコ字型基部５ｂから突出した突出片５ｃに、山形鋼から成る主柱材の外面及び内面に夫々当接させて、当該主柱材を挟持自在な二つの外側及び内側Ｌ型板８ａ、８ｂから成るＬ型把持金具８の一端を夫々ボルト１０、ナット１１で軸支して連結し、これらの各Ｌ型把持金具の他端をボルト１０、ナット１１で夫々締め付け自在な構成とした。【選択図】      図１
2011246873.tif 000002
【特許請求の範囲】
【請求項１】
既存のターンバックルの両端に設けられた、当該ターンバックルの軸を中心に回転自在なコ字型の各把持具に、当該各把持具の開口部側から両側板の外面に、略コ字型の連結片の両側板を重ねて夫々一体に固定し、これらの各連結片のコ字型基部から突出した突出片に、山形鋼から成る主柱材の外面及び内面に夫々当接させて、当該主柱材を挟持自在な二つのＬ型板から成るＬ型把持金具の一端を夫々ボルト、ナットで軸支して連結し、これらの各Ｌ型把持金具の他端をボルト、ナットで夫々締め付け自在な構成であることを特徴とする、鉄塔部材取替え用工具。
【請求項２】
前記各Ｌ型把持金具の二つの各Ｌ型板の両端にそれぞれ複数のボルト孔を対向して設け、これらの複数のボルト孔の任意の一つに前記ボルトを通して使用することを特徴とする、請求項１に記載の鉄塔部材取替え用工具。
【請求項３】
前記各Ｌ型把持金具の二つの各Ｌ型板の両端に設けた複数のボルト孔のうち、外側のＬ型板の少なくとも一つのボルト孔を長孔としたことを特徴とする、請求項２に記載の鉄塔部材取替え用工具。
【発明の詳細な説明】
【技術分野】
【０００１】
この発明は、送電鉄塔、特に山形鋼から成る送電鉄塔の斜材や水平部材等の部材の取り替えに使用する専用の工具に関するものである。
【背景技術】
【０００２】
送電鉄塔の斜材や水平部材、また、これらの部材の取付けプレート等の部材は、永年使用により、損傷やさび等の劣化が生じ、新しいものに取替える必要がある。一方、これらの送電鉄塔は、引通している電線の張力や風圧荷重などにより、設置箇所に応じて各部材に圧縮力あるいは引張力が掛かっている。従って、これらの部材の取り替えに際しては前記圧縮力や引張力を取り除き、そこでボルト等を抜いて旧部材を取り外し、新しい部材に取り替えなければならない。
【０００３】
この様な部材の取替えに際し、従来は、図４の（Ａ）図に示すように、取り替え部材が圧縮部材の場合は、取替え部材方向に添わせるように台棒をワイヤーで鉄塔に固定し、鉄塔の外方に突出させた台棒の先端につけたターンバックル又は張線器の先端を、取替える部材の一端が固定された鉄塔の主柱材に係止してこれらで締め付けることにより、前記部材が引っ張られ、当該部材を固定しているボルトに掛かる応力を開放して当該ボルトを緩めて部材を取替えている。
【０００４】
また、図４の（Ｂ）図に示すように、取替え部材が引張部材の場合は、取替え部材の両端の主柱材を台付けワイヤーで養生し、ターンバックル又は張線器を当該箇所に取り付けてこれらを締め付けることにより、前記部材が圧縮され、当該部材を固定しているボルトに掛かる応力を開放して当該ボルトを緩めて部材を取替えている。
【０００５】
これらの従来工法では、取替え部材の台付けワイヤーの主柱材への固定に手間が掛かる。また、これらのワイヤーの固定が甘いと、張線器又はターンバックルで締め付けたときに台付けワイヤーが滑ってしまい、前記応力を開放することができない。また、前記工法では種々の部材（台棒、張線器、ワイヤー、Uクレビス等）を現場で組み合わせて用いるため、塔上に持ち上げる工具類の数が多く、作業の際、誤って前記工具類が落下してしまう危険が高い。
【０００６】
また、特に、圧縮部材の取替えの際は、上述のように、台棒の先端を鉄塔外方に突出させるため、これらの台棒等が鉄塔の充電部に接近することがあり、その場合、給電停止等の時間的な制約が発生する。また、特に、圧縮部材の取替えの際は、ターンバックルを使用して締上げる場合、当該ターンバックルの巻き取りがラチェット式であるため、ワイヤーが巻き取り方向に撚れてしまい、ターンバックルがワイヤーを完全に巻き取れない恐れがある。
【０００７】
そこで、これらの従来の工法を改善するため種々の工具又は装置が開発されている。特許文献１のものは、鋼管鉄塔の斜材を取替える装置であって、中央フレームに連結された斜材取付装置で斜材を固定し、斜材取付装置に備えられた垂直ジャッキと水平ジャッキにより斜材を移動させてボルトに加わるせん断力を脱力するとともに、ボルト抜き取り後での斜材を保持する装置である。
【０００８】
また、特許文献２に記載のものは、送電鉄塔の両主柱をそれぞれ把持するバンドと、連結部材を介して両バンド間を引張りあるいは圧縮する油圧ジャッキとにより構成された送電鉄塔損傷部材の取替工具である。
【０００９】
また、特許文献３に記載のものは、両端部に主柱材を把持するバンド部が取り付けられている２つの水平補強装置を、斜材の上下の取付点付近の主柱材間に夫々水平に取り付け、上下の水平補強装置間に、棒鋼、ワイヤー又はチェーンと、ターンバックル又はチェーンブロックとを組み合わした斜補強部材を取付けて、水平補強装置と斜補強部材から成る骨組を形成することで、斜材及び水平材を取り外す塔体面の補強を行い、水平補強装置の調整ナットを回して鉄塔の塔体幅を調整したり、斜補強部材のターンバックルやチェーンブロックで斜補強材の長さを調製することで、斜材及び水平材に作用しているせん断力を取り除き、斜材及び水平材を取替える装置である。
【００１０】
【特許文献１】実用新案登録第３０５８９３０号公報
【特許文献２】特開２００１−２６８７５８号公報
【特許文献３】特開２００９−１３７６５号公報
【発明の開示】
【発明が解決しようとする課題】
【００１１】
しかしながら、特許文献１のものは、大型鋼管鉄塔向きのもので、その上、斜材取替え専用のものである。従って、用途が限られており、他の部材の取替えに使用できない。また、中央フレームに連結された斜材取付装置に垂直ジャッキと水平ジャッキが備えられ、装置が重量物であり、部品構成も複雑であり、多くの時間と労力を要するものである。
【００１２】
また、特許文献２のものは、工具を鋼管鉄塔の主柱材に取付けて、主に鉄塔の水平材の取替えに使用するものであり、斜材取替えの際は、当該工具を４つ用意し、４つの工具をマルチプレートで連結して使用するものであり、汎用性がない。しかも、工具１台に対し２つの油圧ジャッキを使用するなど、重量物となり、部品点数も多く、多くの時間と労力を要するものである。
【００１３】
また、特許文献３に示すものは、両端部に主柱材を把持するバンド部が取り付けられている２つの水平補強装置と、上下に設置したこの２つの水平補強装置間に、棒鋼、ワイヤー又はチェーンと、ターンバックル又はチェーンブロックとを組み合わせた斜補強部材とから構成されたもので、水平部材と斜材の取替えに使用するものであるが、部品点数も多く、作業が複雑で多くの時間と労力を要する。
【００１４】
そこで、この発明は、主に３３ｋｖ〜１５４ｋｖ級の山形鋼材から成る小型鉄塔の斜材、水平部材等の部材取替え用の工具であって、種々のサイズの山形鋼から成る主柱材に取付けられる極めて簡単な構造で、作業の手間のかからない、一体ものの工具を提供することを目的としたものである。
【課題を解決するための手段】
【００１５】
請求項１の発明は、既存のターンバックルの両端に設けられた、当該ターンバックルの軸を中心に回転自在なコ字型の各把持具に、当該各把持具の開口部側から両側板の外面に、略コ字型の連結片の両側板を重ねて夫々一体に固定し、これらの各連結片のコ字型基部から突出した突出片に、山形鋼から成る主柱材の外面及び内面に夫々当接させて、当該主柱材を挟持自在な二つのＬ型板から成るＬ型把持金具の一端を夫々ボルト、ナットで軸支して連結し、これらの各Ｌ型把持金具の他端をボルト、ナットで夫々締め付け自在な構成である、鉄塔部材取替え用工具とした。
【００１６】
また、請求項２の発明は、請求項１の発明において、前記各Ｌ型把持金具の二つのＬ型板の両端にそれぞれ複数のボルト孔を対向して設け、これらの複数のボルト孔の任意の一つに前記ボルトを通して使用する、鉄塔部材取替え用工具とした。
【００１７】
また、請求項３の発明は、請求項２の発明において、前記各Ｌ型把持金具の二つのＬ型板の両端に夫々設けた複数のボルト孔のうち、外側のＬ型板の少なくとも一つのボルト孔を長孔とした、鉄塔部材取替え用工具とした。
【発明の効果】
【００１８】
請求項１の発明によれば、取り替える斜材又は水平材等に沿って工具をあてがい、工具の両端のＬ型把持金具を夫々山形鋼から成る主柱材に取付け、ターンバックルを伸ばしたり、収縮することにより、斜材又は水平材に掛っている応力を取り除き、この状態で、ボルト、ナットを取り外し、容易に斜材又は水平材を取り外すことができる。また、ターンバックルの両端に連結片を介して回転自在に接続されたＬ型把持金具は、山形鋼から成る主柱材を挟持出来る二つのＬ型板から構成されているため、当該Ｌ型把持金具は容易に主柱材に取り付けられ、かつ、強固に取り付けることができる。
【００１９】
しかも、この発明の工具は市販品である既存のターンバックルを用いて、このターンバックルの両端の各把持具に一体に連結片を取り付け、これらの各連結片に、山形鋼から成る主柱材を挟持自在なＬ型把持金具を回転自在に連結したもので、極めて簡単な構造で、油圧ジャッキ等を使用せず、重量が軽く、取り扱いが極めて容易である。また、またコストも従来の開発品より安くできる。また、工具は一体な構成となっているため、複数の部品や部材が作業中、落下する恐れもない。
【００２０】
また、請求項２の発明によれば、工具の両端に設けたＬ型把持金具の二つのＬ型板の両端部に夫々複数のボルト孔を設けているため、主柱材を構成する山形鋼のサイズに合わせて当該Ｌ型把持金具を取り付けることができる。いいかえれば、複数のサイズの主柱材に適用できる。
【００２１】
また、請求項３の発明によれば、前記各Ｌ型把持金具の二つのＬ型板の両端に設けた複数のボルト孔のうち、外側のＬ型板の少なくとも一つのボルト孔を長孔としているため、主柱材を挟持した二つのＬ型板の端部の対向する各ボルト孔にボルトを通しやすい。従って、作業が容易となる。
【発明を実施するための最良の形態】
【００２２】
この発明は、既存のターンバックルの両端に設けられた、当該ターンバックルの軸を中心に回転自在なコ字型の各把持具に、当該各把持具の開口部側から両側板の外面に、略コ字型の連結片の両側板を重ねて夫々一体に固定し、これらの各連結片のコ字型基部から突出した突出片に、山形鋼から成る主柱材の外面及び内面に夫々当接させて、当該主柱材を挟持自在な二つのＬ型板から成るＬ型把持金具の一端を夫々ボルト、ナットで軸支して連結し、これらの各Ｌ型把持金具の他端をボルト、ナットで夫々締め付け自在な構成とした。
【００２３】
以上の構成の工具は一体もので構成され、重量も軽く、容易に主柱材に取り付けることができ、作業性が良い。しかも、取替える斜材、水平材等の圧縮荷重、引張荷重を確実に取り除くことができる。
【実施例１】
【００２４】
以下、この発明の実施例１を図に基づいて説明する。図１は実施例１の工具の平面図、図２は実施例１の工具のＬ型把持金具の分解斜視図である。
【００２５】
市販品である、既存のターンバックル１の両端には、当該ターンバックルの軸を中心に回転自在なコ字型の把持具２が夫々設けられている。これらの各把持具２はターバック１の作動杆１ａの先端が各把持具２の基端板２ａの孔を貫通し、前記孔の両側の作動杆１ａにストッパー１ｂが夫々設けられ、前記作動杆１ａを中心に回転自在となって作動杆１ａに係止されている。また、これらの各把持具２のコ字型両側板２ｂにボルト３が貫通され、当該ボルト３の他端にナット４が螺着されている。
【００２６】
そして、前記コ字型の各把持具２の開口部側からその両側板２ｂの外面に、略コ字型の連結片５の両側板５ａを重ね、当該両側板５ａに穿った孔に前記ボルト３を挿入して他端で前記ナット４により螺着され、さらに、前記両側板５ａと前記把持具２の両側板２ｂとを他の箇所でボルト６及びナット７により固定し、前記把持具２と連結片５とは、重ね合わせた各両側板の二か所でボルト止めされて一体に固定されている。これらの各連結片５のコ字型の基端板５ｂから突出片５ｃを夫々突出させている。そして、これらの各突出片５ｃにＬ型把持金具８が接続されている。
【００２７】
前記Ｌ型把持金具８は、外側Ｌ型板８ａ及び内側Ｌ型板８ｂから成り、これらを山形鋼から成る主柱材の外面及び内面に夫々当接させて、両端を重ね合わせ、夫々の両端部に設けた複数のボルト孔９の一つにボルト１０を通して他端でナット１１を螺着し、前記主柱材を挟持自在な構成となっている。また、一方の端部は前記連結片５の突出片５ｃに設けたボルト孔に前記ボルト１０を通し、前記ナット１１で止めて、連結片５と相互に回転自在に接続されている。
【００２８】
また、前記内側Ｌ型板８ｂは、前記主柱材を挟持するため、中央部が内側に突出した形状となっており、外側Ｌ型板８ａと内側Ｌ型板８ｂにより前記主柱材を挟持した状態で、各Ｌ型板８ａ又は８ｂの両端のボルト孔９が相対向するように位置している。また、外側Ｌ型板８ａの一端のボルト孔９の内の少なくとも一つは長孔９´となっている。これにより、サイズの異なる主柱材を挟持した場合に、内側Ｌ型板８ｂのボルト孔９と外側Ｌ型板８ａとのボルト孔である長孔９´を合わせやすくしている。
【００２９】
この実施例１に工具を用いて、鉄塔の部材を取り替える作業について説明する。図３の（Ａ）図は、鉄塔１５の取替える部材が斜材１６の場合であり、この場合、工具の両端のＬ型把持金具８を鉄塔１５の両側の主柱材１７、１８に取り付ける。その際、各Ｌ型把持金具８は、外側Ｌ型板８ａと内側Ｌ型板８ｂを主柱材１７又は１８の外面及び内面に当てて、両側のボルト１０及びナット１１を締め付けることにより主柱材１７又は１８を強固に把持する。そしてこの様にして各Ｌ型把持金具８は各主柱材１７又は１８に強固に取り付けられる。
【００３０】
その際、各Ｌ型把持金具８と連結片５とはボルト１０を中心に回転し、ターンバックル１は略斜材１６に沿って取付けられることとなる。この様にして工具は鉄塔１５に取り付けられ、ターンバックル１を伸縮させ、斜材１６に掛っている圧縮力又は引張力による応力を取り除き、この状態で、斜材１６を止めているボルト、ナットを取り外し、当該斜材１６を外す。さらにこの状態で、新しい斜材を鉄塔１５に取付け、取付が終了後に当該工具のターンバックルを前記と逆に伸縮し、両側の各Ｌ型把持金具８を主柱材１７，１８から外す。
【００３１】
また、図３の（Ｂ）図は、鉄塔１５の水平材１９を取り替える場合を示すもので、前述と同様に、工具の両端のＬ型把持金具８を鉄塔１５の両側の主柱材１７、１８に取り付ける。ただし、この場合は工具のターンバックル１が取換える水平材１９と平行になるように取り付ける。そしてターンバックル１を伸縮させ、水平材１９に掛っている圧縮力又は引張力による応力を取り除き、この状態で、水平材１９を止めているボルト、ナットを取り外し、当該水平材１９を外す。
【００３２】
この様にこの発明は、小型の送電鉄塔において、取替える部材の両側の主柱材にＬ型把持金具を取り付け、ターンバックルを伸縮させることにより、前記部材の応力が確実に取り除かれ、部材を容易に取り外すことができるものである。しかも、簡易な構造で、重量も軽く極めて作業性の良い工具である。
【図面の簡単な説明】
【００３３】
【図１】この発明の実施例１の工具の平面図である。
【図２】この発明の実施例１の工具のＬ型把持金具の分解斜視図である。
【図３】この発明の実施例１の工具の使用状態を示す説明正面図であり、（Ａ）図は斜材を取替える使用状態の説明正面図、（Ｂ）図は水平材を取替える使用状態を示す説明正面図である。
【図４】従来における部材の取替え工法を示す正面図であり、（Ａ）図は圧縮力がかかっている斜材の取替え工法の正面図、（Ｂ）図は引張力がかかっている斜材の取替え工法の正面図である。
【符号の説明】
【００３４】
１      ターンバックル              １ａ    作動杆
１ｂ    ストッパー                  ２      把持具
２ａ    基端板                      ２ｂ    両側板
３      ボルト                      ４      ナット
５      連結片                      ５ａ    両側板
５ｂ    基端板                      ５ｃ    突出片
６      ボルト                      ７      ナット
８      Ｌ型把持金具                ８ａ    外側Ｌ型板
８ｂ    内側Ｌ型板                  ９      ボルト孔
９´    長孔                        １０    ボルト
１１    ナット                      １５    鉄塔
１６    斜材                        １７    主柱材
１８    主柱材                      １９    水平材
【図１】
2011246873.tif 000003
【図２】
2011246873.tif 000004
【図３】
2011246873.tif 000005
【図４】
2011246873.tif 000006